【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
コンピューティングデバイス上の図式要素の接続を管理するシステムであって、前記コンピューティングデバイスが、プロセッサと、前記プロセッサの制御の下に入力される手描き図式要素を検出して認識するための少なくとも１つの非一時的なコンピューター読み取り可能な記録媒体とを含み、前記少なくとも１つの非一時的なコンピューター読み取り可能な記録媒体が、
前記コンピューティングデバイスに関連付けられた表示装置上にインタラクティブなインクにより複数の入力された図式要素を表示させる手段と、
複数の図式要素を接続するコネクタとして少なくとも１つの図式要素を識別する手段と、
前記接続された図式要素の各々の幾何学的特性において定義された幾何学的構成を決定する手段であって、前記幾何学的構成は、前記接続された図式要素の形状および境界に独立であり、前記接続された図式要素の幾何学的特性に基づき、前記接続された図式要素の各々の前記幾何学的特性は、幾何学的な中心を少なくとも含む、手段と、
マッピングされた点を定義するために前記接続された図式要素に対する前記少なくとも１つの識別されたコネクタの接続点を前記幾何学的構成にマッピングする手段と、
前記少なくとも１つの識別されたコネクタと１つまたは複数の前記接続された図式要素の１つまたは複数の前記幾何学的特性との前記インタラクティブなインクにより受信された１つまたは複数のインタラクションに基づいて前記幾何学的構成上の前記マッピングされた点の位置を調整する手段と、
前記接続された図式要素上の前記調整されたマッピングされた点のマッピングに少なくとも従って調整された接続点として前記図式要素の再表示を引き起こす手段と
を備えたことを特徴とするシステム。
【請求項２】
前記少なくとも１つのコネクタは、前記コネクタの特性および前記図式要素間の位置関係に基づいて識別されることを特徴とする請求項１に記載のシステム。
【請求項３】
前記少なくとも１つの識別されたコネクタは非線形のコネクタであることを特徴とする請求項１または２に記載のシステム。
【請求項４】
前記非線形のコネクタは湾曲コネクタであることを特徴とする請求項３に記載のシステム。
【請求項５】
前記少なくとも１つの非一時的なコンピューター読み取り可能な記録媒体が、前記図式要素を再表示させると前記湾曲コネクタの曲率半径を維持する手段をさらに備えたことを特徴とする請求項４に記載のシステム。
【請求項６】
前記インタラクティブなインクはデジタルインクであることを特徴とする請求項１、２、３、４、または５のいずれか一項に記載のシステム。
【請求項７】
プロセッサと、前記プロセッサの制御の下に入力された手描き図式要素を検出して認識するための少なくとも１つの非一時的なコンピューター読み取り可能な記録媒体とを備えた、コンピューティングデバイス上の図式要素の接続を管理する方法であって、
前記コンピューティングデバイスに関連付けられた表示装置上にインタラクティブなインクにより複数の入力された図式要素を表示するステップと、
複数の図式要素を接続するコネクタとして少なくとも１つの図式要素を識別するステップと、
前記接続された図式要素の各々の幾何学的特性において定義された幾何学的構成を決定するステップであって、前記幾何学的構成は、前記接続された図式要素の形状および境界に独立であり、前記接続された図式要素の幾何学的特性に基づき、前記接続された図式要素の各々の前記幾何学的特性は、幾何学的な中心を少なくとも含む、ステップと、
マッピングされた点を定義するために前記接続された図式要素に対する前記少なくとも１つの識別されたコネクタの接続点を前記幾何学的構成にマッピングするステップと、
前記少なくとも１つの識別されたコネクタと１つまたは複数の前記接続された図式要素の１つまたは複数の前記幾何学的特性との前記インタラクティブなインクにより受信された１つまたは複数のインタラクションに基づいて前記幾何学的構成上の前記マッピングされた点の位置を調整するステップと、
前記接続された図式要素上の前記調整されたマッピングされた点のマッピングに少なくとも従って前記調整された接続点として前記図式要素を再表示させるステップと
を備えることを特徴とする方法。
【請求項８】
前記コネクタの特性および前記図式要素間の位置関係に基づいて前記少なくとも１つのコネクタを識別するステップをさらに備えたことを特徴とする請求項７に記載の方法。
【請求項９】
前記少なくとも１つの識別されたコネクタは非線形のコネクタであることを特徴とする請求項７または８に記載の方法。
【請求項１０】
前記非線形のコネクタは湾曲コネクタであることを特徴とする請求項９に記載の方法。
【請求項１１】
前記図式要素を再表示させると前記湾曲コネクタの曲率半径を維持するステップをさらに備えたことを特徴とする請求項１０に記載の方法。
【請求項１２】
前記インタラクティブなインクはデジタルインクであることを特徴とする請求項７、８、９、１０、または１１のいずれか一項に記載の方法。
【請求項１３】
コンピューター読み取り可能なプログラムコードを有する非一時的なコンピューター読み取り可能な記録媒体であって、前記コンピューター読み取り可能なプログラムコードは、コンピューティングデバイス上で図式要素の接続を管理する方法を実装するように実行されるよう適用され、前記コンピューティングデバイスは、プロセッサと、前記プロセッサの制御の下に入力された手描き図式要素を検出して認識するための少なくとも１つの非一時的なコンピューター読み取り可能な記録媒体とを備え、前記方法が、
前記コンピューティングデバイスに関連付けられた表示装置上にインタラクティブなインクにより複数の入力された図式要素を表示するステップと、
複数の図式要素を接続するコネクタとして少なくとも１つの図式要素を識別するステップと、
前記接続された図式要素の各々の幾何学的特性において定義された幾何学的構成を決定するステップであって、前記幾何学的構成は、前記接続された図式要素の形状および境界に独立であり、前記接続された図式要素の幾何学的特性に基づき、前記接続された図式要素の各々の前記幾何学的特性は、幾何学的な中心を少なくとも含む、ステップと、
マッピングされた点を定義するために前記接続された図式要素に対する前記少なくとも１つの識別されたコネクタの接続点を前記幾何学的構成にマッピングするステップと、
前記少なくとも１つの識別されたコネクタと１つまたは複数の前記接続された図式要素の１つまたは複数の前記幾何学的特性との前記インタラクティブなインクにより受信された１つまたは複数のインタラクションに基づいて前記幾何学的構成上の前記マッピングされた点の位置を調整するステップと、
前記接続された図式要素上の前記調整されたマッピングされた点のマッピングに少なくとも従って前記調整された接続点として前記図式要素を再表示させるステップと
を備えることを特徴とする非一時的なコンピューター読み取り可能な記録媒体。
【請求項１４】
前記コネクタの特性および前記図式要素間の位置関係に基づいて前記少なくとも１つのコネクタを識別するステップをさらに備えたことを特徴とする請求項１３に記載の非一時的なコンピューター読み取り可能な記録媒体。
【請求項１５】
前記少なくとも１つの識別されたコネクタは非線形のコネクタであることを特徴とする請求項１３または１４に記載の非一時的なコンピューター読み取り可能な記録媒体。
【請求項１６】
前記非線形のコネクタは湾曲コネクタであることを特徴とする請求項１５に記載の非一時的なコンピューター読み取り可能な記録媒体。
【請求項１７】
前記方法が前記図式要素を再表示させると前記湾曲コネクタの曲率半径を維持するステップをさらに備えたことを特徴とする請求項１６に記載の非一時的なコンピューター読み取り可能な記録媒体。
【請求項１８】
前記インタラクティブなインクはデジタルインクであることを特徴とする請求項１３、１４、１５、１６、または１７のいずれか一項に記載の非一時的なコンピューター読み取り可能な記録媒体。